(57)【要約】【課題】膜を用いて海水やかん水などの脱塩を行うことにより淡水を得る場合、下廃水処理水や工業排水等を浄化して再利用水を得る場合などにおいて、被処理水の持つバイオファウリングポテンシャルを適正に評価し、薬品洗浄や殺菌剤添加の適正条件を決定する手段を提供する。【解決手段】被処理水中のウィルス濃度に基づいて、前記半透膜の洗浄条件および／または殺菌剤注入条件を制御する。【選択図】  図１
2014171988.tif 000002
【特許請求の範囲】
【請求項１】
被処理水を半透膜によって処理し、透過水と濃縮水に分離する工程と前記半透膜の洗浄工程を有する造水方法であって、被処理水中のウィルス濃度に基づいて、前記半透膜の洗浄条件および／または殺菌剤注入条件を制御することを特徴とする造水方法。
【請求項２】
被処理水を半透膜によって処理し、透過水と濃縮水に分離する工程と前記半透膜の洗浄工程を有する造水方法であって、被処理水中のウィルス濃度の、細菌数に対する割合に基づいて、前記半透膜の洗浄条件および／または殺菌剤注入条件を制御することを特徴とする造水方法。
【請求項３】
生菌数、ＣＦＵ（コロニーフォーミングユニット）および細胞内ＡＴＰ（アデノシン−５´−三リン酸）量からなる群から選ばれる少なくとも１つの値を測定することによって前記細菌数を算出することを特徴とする請求項２に記載の造水方法。
【発明の詳細な説明】
【技術分野】
【０００１】
本発明は、膜を用いて海水やかん水などの脱塩を行うことにより淡水を得たり、下廃水処理水や工業排水等を浄化して再利用水を得たりする造水方法に関するものである。
【背景技術】
【０００２】
半透膜を用いた造水システムは、海水の淡水化を始め、多くの産業や水処理分野で応用され、他の分離方法と比較し、分離性能やエネルギー効率等の点で優位性が実証されてきている。一方、該造水システムでは、膜面での微生物増殖、あるいは膜面への生物膜（バイオフィルム）の付着すなわちバイオファウリングにより、膜差圧が急上昇し、膜の透過性、分離性が低下するという問題がある。
【０００３】
バイオファウリングにより、膜差圧が上昇したり、膜の透過性、分離性が低下したりした場合は、膜を、洗浄剤を用いて洗浄する（薬品洗浄）ことが一般的である。洗浄剤としては、水酸化ナトリウムなどのアルカリ、エチレンジアミン−４−酢酸（ＥＤＴＡ）などのキレート剤、界面活性剤などがあり、これらは単独あるいは組み合わせて使用される。
【０００４】
しかし、ファウリングがいったん進行すると、たとえ薬品洗浄を行ったとしても膜差圧、透過性、分離性が完全に回復せず、次第に薬品洗浄の頻度が多くなり、ついには運転不可能となり、膜の交換が必要となる。よって、ファウリングが進行する前の適切な段階で膜を洗浄し、ファウリングの進行を抑えることが重要である。
【０００５】
また、ファウリングの進行を抑える手段として、被処理水にバイオフィルムの増殖を抑制する薬剤（以下、「殺菌剤」という）を添加する技術も有効な手法として数多く提案されている。例えば、被処理水に２−メチル−４−イソチアゾリン−３−オンまたは５−クロロ−２−メチル−４−イソチアゾリン−３−オンまたはこれらの塩およびこれらの混合物を有効成分とする殺菌剤を添加してバイオフィルムの増殖を抑制する方法（特許文献１）や、被処理水に殺菌剤として、酸や銀イオンを添加する方法などが開示されている（特許文献２、３）。これら殺菌剤の添加濃度、頻度、時間等は少なすぎればファウリングの進行を抑えることができない。一方、多すぎればファウリングの進行を抑えることはできるものの、薬品コストの増大を招く。よって、ファウリングの進行を抑えるための殺菌剤添加の適正な濃度、頻度、時間等の条件を把握することが重要である。
【０００６】
薬品洗浄や殺菌剤添加の適正条件を決定するには、被処理水の持つバイオファウリングポテンシャルを適正に評価する必要がある。被処理水のバイオファウリングポテンシャルを決定づける因子としては、被処理水に含まれる微生物量もあるが、特に重要な因子は被処理水中の栄養源量である。その理由は、たとえ被処理水に含まれる微生物量を可能な限り少なく抑えたとしても相当量の栄養源が存在する限り、微生物の増殖を抑えることはできないからである。
【０００７】
特許文献４では、海水やかん水などを原水として、殺菌剤を添加して半透膜に供給する際に、取水された原水に含まれる生菌数や菌体量および原水の同化可能有機炭素（以下、ＡＯＣ（Ａｓｓｉｍｉｌａｂｌｅ  Ｏｒｇａｎｉｃ  Ｃａｒｂｏｎ）という）の濃度を評価し、これらの評価結果に応じて、殺菌剤の添加条件を決定する方法が提案されている。ＡＯＣは微生物にとっての栄養源量の指標として、浄水処理の分野でその測定手法が開発されたもので、特許文献４では、これを海水やかん水に適用している。
【０００８】
また特許文献５では、半透膜供給水及び／又は半透膜非透過水を半透膜ろ過部の半透膜モジュール内の非透過水線速度と同等の線速度で流水させた条件下に、バイオフィルム形成基材を配しておき、バイオフィルム形成基材上のバイオフィルム量を１日〜６ヶ月に１回の頻度でＡＴＰ（アデノシン−５´−三リン酸）測定法により測定し、バイオフィルム形成基材の単位面上あたりのＡＴＰ量が２００ｐｇ／ｃｍ２以下となるように膜の洗浄や殺菌剤添加条件を決定する技術が開示されている。これはバイオフィルム形成基材上のバイオフィルム量を測定することにより、被処理水のバイオファウリングポテンシャルを直接評価しようというものである。
【先行技術文献】
【特許文献】
【０００９】
【特許文献１】特開平８−２２９３６３号公報
【特許文献２】特開平１２−３５４７４４号公報
【特許文献３】特開平１０−４６３号公報
【特許文献４】特開２００２−１４３８４９号公報
【特許文献５】国際公開ＷＯ２００８／０３８５７５号
【発明の概要】
【発明が解決しようとする課題】
【００１０】
しかしながら、特許文献４の技術では取水された海水やかん水に含まれる生菌数や菌体量およびＡＯＣをもとに殺菌剤の添加条件を決定することになっているが、通常、海水やかん水は、塩素などの酸化剤添加や、前処理（砂ろ過や膜ろ過）を行ってから半透膜に供給されるのが一般的である。よって、酸化剤の添加条件や前処理の性能によって半透膜に供給される被処理水のバイオファウリングポテンシャルは変わることが予想されるため、バイオファウリングポテンシャルを精度良く予想することが困難である。またＡＯＣの正確な測定は難しく、実際には適用が困難な場合が多い。具体的には、容器の準備、サンプルの前処理が煩雑であり、また、サンプルの保存が極めて困難であるため、事実上、半透膜プラントの近くに実験室がない限り実施が困難であった。また、コンタミネーションの発生を原理的に１００％防止できる手法ではない。
【００１１】
また特許文献５の技術では、半透膜供給水及び／又は半透膜非透過水を一定の流量で常にバイオフィルム形成基材に流すために、配管の分岐が必要である。また水を基材に流した後の排水のための配管も設ける必要があり、プラントによっては適用が難しいケースもある。また常に逆浸透膜モジュール内の非透過水線速度と同等の線速度で流水させる必要があるため、何かのトラブルで流水が止まったり、線速度が大きくずれたりした場合、正当な評価ができなくなる恐れがある。
【００１２】
そこで、本発明は、膜を用いて海水やかん水などの脱塩を行うことにより淡水を得る場合、下廃水処理水や工業排水等を浄化して再利用水を得る場合などにおいて、被処理水の持つバイオファウリングポテンシャルを適正に評価し、薬品洗浄や殺菌剤添加の適正条件を決定する手段を提供することを目的とする。
【課題を解決するための手段】
【００１３】
上記課題を解決するために、本発明における造水方法は、以下の構成のいずれかからなる。
【００１４】
（１）  被処理水を半透膜によって処理し、透過水と濃縮水に分離する工程と前記半透膜の洗浄工程を有する造水方法であって、被処理水中のウィルス濃度に基づいて、前記半透膜の洗浄条件および／または殺菌剤注入条件を制御することを特徴とする造水方法。
【００１５】
（２）  被処理水を半透膜によって処理し、透過水と濃縮水に分離する工程と前記半透膜の洗浄工程を有する造水方法であって、被処理水中のウィルス濃度の、細菌数に対する割合に基づいて、前記半透膜の洗浄条件および／または殺菌剤注入条件を制御することを特徴とする造水方法。
【００１６】
（３）  生菌数、ＣＦＵ（コロニーフォーミングユニット）および細胞内ＡＴＰ（アデノシン−５´−三リン酸）量からなる群から選ばれる少なくとも１つの値を測定することによって前記細菌数を算出することを特徴とする（２）に記載の造水方法。
【発明の効果】
【００１７】
本発明によれば、バイオファウリング防止を目的とした薬品洗浄、殺菌剤添加などの適正条件を信頼性高く、かつ簡便に決定することができる。
【図面の簡単な説明】
【００１８】
【図１】本発明の造水方法の一例を示す概略図である。
【図２】海水淡水化プラントＡの処理方法を示す概略図である。
【図３】海水淡水化プラントＡの半透膜の運転差圧と、半透膜供給水中におけるウィルス濃度のＣＦＵに対する割合の経時変化を示す図である。
【発明を実施するための形態】
【００１９】
以下、図１を用いて本発明について詳しく説明するが、本発明の内容はこの図の態様に限定されるものではない。
【００２０】
本発明の造水方法は、被処理水１を半透膜３によって処理し、透過水４と濃縮水５に分離する造水システムにおいて実施される。
【００２１】
被処理水１の原水としては、例えば海水、かん水、河川水、湖沼水、地下水、下水、下水二次処理水等が挙げられる。原水に濁質などの固形成分が含まれている場合は、直接半透膜３でろ過すると、膜表面に付着する固形成分が多くなり、差圧が急上昇し、運転不可能となるため、その場合は、あらかじめ原水を前処理する。最も良く用いられる前処理方法は原水に凝集剤を添加し、固形成分をフロック化させ、砂やアンスラサイト等でろ過する凝集砂ろ過法である。但し、この方法では原水変動の影響を受けやすく処理水質が不安定であるため、精密ろ過膜や限外ろ過膜で処理する膜前処理も採用することができる。また、原水が下水等の有機性廃水の場合は、廃水中に含まれる有機物を低減するため、活性汚泥処理を行った後、活性汚泥を分離するために固液分離を行う前処理を実施することもできる。固液分離の方法は、従来から用いられている沈殿池を用いた沈殿分離でも良く、処理水質の向上などを目的として、精密ろ過膜や限外ろ過膜などの分離膜を用いて固液分離する方法も採用することができる。
【００２２】
被処理水１は、高圧ポンプ２によって、ろ過に必要な圧力で半透膜３に供給され、透過水４と濃縮水５に分離される。供給配管の途中では、半透膜３におけるバイオファウリングの進行を抑えるための殺菌剤６が添加される。殺菌剤６を添加する装置については、殺菌剤の添加条件を制御するために、添加量や添加時間、添加頻度などがコントロールできるバルブやポンプを有する制御機構を備えていることが好ましい。
【００２３】
また半透膜３の上流には、薬品洗浄のために、洗浄剤７を導入する管路が設けられる。洗浄剤７を導入する地点は特に限定されるものではないが、洗浄剤７の種類によっては、高圧ポンプ２を腐食させるおそれがあるため、その下流が好ましい。また通常は洗浄剤７は濃縮水５の配管の途中から導出され、循環される。
【００２４】
半透膜３は、被処理水１を飲料水、工業用水、都市用水などに利用できるように、塩濃度を下げることができるものであれば、いかなる素材のものを用いても良いが、例えば、酢酸セルロース系、ポリアミド系の素材により構成されるものが挙げられる。この中でも、本発明の方法において特に有効であるのは、ポリアミド系の素材により構成されるものである。ポリアミド系の膜は、バイオフィルムの増殖を防ぐために殺菌剤として最も一般的に用いられる塩素に対する耐性が低く、わずかな濃度の塩素であっても膜劣化が顕著に起こるため、バイオファウリングを防止することが難しい。よって本発明を実施することによる効果が顕著に現れる。
【００２５】
本発明ではかかる造水システムにおいて、被処理水中のウィルス濃度に基づいて、前記半透膜の洗浄条件および／または殺菌剤注入条件を制御することを特徴とする。海水淡水化システムでは、貝などの水生生物が取水配管に付着することを防ぐため、取水点で塩素などの薬品を添加することが一般的であるが、塩素を連続で添加した場合、半透膜でバイオファウリングが促進されることが知られている。本発明者らは、被処理水に塩素を添加すると被処理水中の細菌が溶菌し、菌体内成分が放出されるとともに、細菌の中に存在していたウィルスが放出されること、しかも、ウィルスは塩素がある状態でも生存し続けることを見出した。また放出された菌体内成分が溶菌しなかった細菌の栄養源となり、その細菌が増殖し、バイオファウリングを促進させることを見出した。よって、被処理水中のウィルス濃度を測定することで、溶菌の程度、菌体内成分の放出の程度が推定され、バイオファウリングの起こり易さを予測することが可能となる。また、菌体内成分、すなわち栄養源量を直接、精度良く定量することは上述したように困難であるのに対し、ウィルス濃度は比較的容易に測定することが可能であることも本発明の利点である。
【００２６】
ウィルス濃度は例えば以下のような方法で測定ができる。即ち、蛍光色素でウィルスの核酸を染色し、蛍光顕微鏡にて直接ウィルスを観察・計測する。例えば測定試料をホルマリン溶液で固定し、これを孔径０．０２μｍのメンブレンフィルタでろ過してウィルスをフィルタ上に捕集、サイバーゴールド（ＳＹＢＲ  Ｇｏｌｄ）、サイバーグリーン（ＳＹＢＲ  Ｇｒｅｅｎ）などの蛍光染色剤でウィルスを染色し蛍光顕微鏡で観察・カウントして求める。
【００２７】
また、ウィルス濃度の細菌数に対する割合に着目すると、更に精度よく予測可能となる。なぜならウィルス濃度の細菌数に対する割合が高ければ、各細菌に供給される栄養源量が多いことになるからである。細菌数の定量は全菌数や全ＡＴＰ量を測定しても良いが、生菌数、ＣＦＵおよび細胞内ＡＴＰ量からなる群から選ばれる少なくとも１つの値を測定することによって定量することが更に好ましい。上述したように、放出された菌体内成分は溶菌しなかった細菌、即ち、生存細菌の栄養源となるからである。
【００２８】
なお全菌数、全ＡＴＰ量、生菌数、ＣＦＵ、細胞内ＡＴＰ量の測定方法としては、例えば以下のような方法が挙げられる。
【００２９】
［全菌数］蛍光色素で微生物の核酸を特異的に染色し、蛍光顕微鏡にて直接微生物を観察・計測する。例えば微生物をホルマリン溶液で固定し、これを孔径０．２μｍのメンブレンフィルタでろ過して微生物をフィルタ上に捕集、アクリジンオレンジ、４’，６−ｄｉａｍｉｄｉｎｏ−２−Ｐｈｅｎｙｌｉｎｄｏｌ（ＤＡＰＩ）などの蛍光染色剤で微生物を染色し蛍光顕微鏡で観察・カウントして求める。
【００３０】
［全ＡＴＰ量］全ての生物がもつ生命活動のエネルギー物質であるＡＴＰ（アデノシン−５´−三リン酸）を界面活性剤などの抽出試薬を用いて、菌体細胞から抽出し、ホタルの発光酵素ルシフェラーゼを利用して発光させ、発光量（ＲＬＵ：Ｒｅｌａｔｉｖｅ  Ｌｉｇｈｔ  Ｕｎｉｔ）を測定する。発光量はＡＴＰ量に比例するため、発光量を測定することで全ＡＴＰ量が評価することができる。
【００３１】
［生菌数］蛍光染色剤には、核酸と特異的に反応する染色試薬の中で、細胞膜を透過する特性を有するため、生死菌（生菌および死菌）を染色する上記アクリジンオレンジやＤＡＰＩなどの他に、生細胞の細胞膜を透過できず、死細胞のみ浸透して染色するｐｒｏｐｉｄｉｕｍ  ｉｏｄｉｄｅ（ＰＩ）やｅｔｈｙｄｉｕｍ  ｂｒｏｍｉｄｅ（ＥＢ）などがある。生死菌と死菌を染色する試薬で細菌をニ重染色し、生菌と死菌を区別することにより、生菌数を測定することが可能である。また、生菌だけが有しているエステラーゼと反応する６−ｃａｒｂｏｘｙｌｆｌｕｏｒｅｓｃｅｉｎ  ｄｉａｃｅｔａｔｅ（６ＣＦＤＡ）を用いて生菌数を測定する方法や、蛍光グルコースを用いて蛍光基質を取り込ませることで、生菌を蛍光染色する方法もある。その他細菌の呼吸活性に伴う電子伝達系の作用を利用して、５−ｃｙａｎｏ−２，３−ｄｉｔｏｌｙｌ  ｔｅｔｒａｚｏｌｉｕｍ  ｃｈｌｏｒｉｄｅ（ＣＴＣ）を用いて、呼吸活性を有する細菌のみを測定する方法もある。
【００３２】
［ＣＦＵ］一般細菌用寒天培地に被処理水１を１００μＬ塗沫し、約５日間培養した後、培地に形成されたコロニー数を計数し、その数を１０倍した値をＣＦＵ（単位：個／ｍＬ）とする。
【００３３】
［細胞内ＡＴＰ量］初めにＡＴＰ消去試薬を用いて、菌体細胞外のＡＴＰを消去した後、抽出試薬で菌体細胞内のＡＴＰを抽出し、ＡＴＰ量を測定する。これにより、菌体細胞内に存在するＡＴＰ量を測定することが可能となる。
【００３４】
本発明では上記指標に基づいて、半透膜３の洗浄条件および／または殺菌剤注入条件を調整する。ここで洗浄条件としては、洗浄剤の種類、濃度、注入方法、洗浄時間、洗浄方法などが挙げられる。洗浄剤の種類は特に限定されるものではないが、バイオファウリングの場合はアルカリで洗浄することが一般的であり、洗浄剤として例えば０．１％の水酸化ナトリウム溶液などが挙げられる。洗浄剤は通常、洗浄用タンクなどに入れられ、ポンプで高圧ポンプの下流からＲＯ配管に導入され、濃縮水の配管の途中から導出され、循環される。洗浄方法としては、例えば１時間程度循環洗浄した後（場合によっては２〜３回繰り返し）、ファウリングの程度にもよるが、２−２４時間浸漬し、最後にリンスをして洗浄を完了する。
【００３５】
また殺菌剤注入条件としては、殺菌剤の種類、濃度、注入方法・時間などが挙げられる。殺菌剤の種類としては、例えば上記した２−メチル−４−イソチアゾリン−３−オンまたは５−クロロ−２−メチル−４−イソチアゾリン−３−オンまたはこれらの塩およびこれらの混合物を有効成分とする殺菌剤や２，２−ジブロモ−３−ニトリロプロピオンアミド（ＤＢＮＰＡ）、硫酸などが挙げられる。濃度としては、例えばＤＢＮＰＡの場合は半透膜供給水の最終濃度で１０ｐｐｍになるように注入したり、硫酸の場合は半透膜供給水のｐＨが３になるように注入したりする。注入方法・時間としては、連続的に添加しても良いし、例えば１日に１回１時間など、間欠的に添加しても良い。
【００３６】
また前記調整方法の具体的な方法としては、例えば海水を原水とし、洗浄剤として０．１％の水酸化ナトリウム溶液を使用し、殺菌剤として硫酸をｐＨ＝３となるように注入し、ウィルス濃度のＣＦＵに対する割合に着目する場合、表１に示すように調整を行うことができる。但し、調整方法についてはこれに限定されるものではない。
【００３７】
【表１】
2014171988.tif 000003
【実施例】
【００３８】
以下、本発明を具体的に説明するが、本発明はこの実施例の態様のみに限定されるものではない。
【００３９】
（比較例１）
海水淡水化プラントＡにおいて、図２に示すような処理方法で海水の処理を行った。まず海水８を取水し、海水貯槽９に貯めた。取水点においては、取水配管中の微生物繁殖を抑えるため、連続で約１ｍｇ／Ｌの次亜塩素酸ナトリウム２０を添加した。次に海水８を供給ポンプ１０で砂ろ過槽１１（ろ過面積：１７ｍ２、ろ層高さ：１．５ｍ、ろ材：砂（平均孔径０．６ｍｍ））に供給し、ろ過を行うことにより、海水８の前処理を行った。ろ過速度は１０ｍ／ｈで、１日に１回、逆圧洗浄と空気洗浄を行った。前処理された海水はいったん半透膜供給水貯槽１２に貯めた後、送水ポンプ１３で高圧ポンプ１４に送り、高圧ポンプ１４で加圧することにより半透膜１５でろ過し、透過水１６と濃縮水１７を得た。半透膜１５は膜材質がポリアミド、脱塩率が９９．７５％、膜面積が３７．３ｍ２のスパイラル型の逆浸透膜（東レ製ＴＭ８２０Ｃ−４００）である。運転は膜ろ過流束１４Ｌ／ｍ２／ｈｒ、回収率３７％であった。なお、この回収率とは、透過水１６の流量／（透過水１６の流量＋濃縮水１７の流量）×１００で算出される。送水ポンプ１３と高圧ポンプ１４の間では次亜塩素酸ナトリウムを中和するための重亜硫酸ソーダ（ＳＢＳ）２１を約３ｍｇ／Ｌ添加した。これは次亜塩素酸ナトリウム２０が半透膜１５に接触すると、半透膜が劣化するためである。また、半透膜１５の運転では、半透膜供給水１８と濃縮水１７との圧力差（以下、運転差圧）を常時モニタリングし、運転性能の変化を観察した。また、高圧ポンプ１４と半透膜１５の間には、洗浄剤１９を導入する管路を設け、薬品洗浄が行えるようにした。また洗浄剤１９は濃縮水１７の配管の途中から導出し、循環洗浄が行えるようにした。
【００４０】
海水淡水化プラントＡの運転開始後、運転差圧とともに半透膜供給水１８のＣＦＵを月１回測定した。ＣＦＵは以下のようにして測定した。
【００４１】
［ＣＦＵ］
まずディフコ（Ｄｉｆｃｏ）社製、「マリンアガー２２１６」５５．１ｇを水１リットルに溶解し、１２１℃で２０分オートクレーブ滅菌したのち、直径９ｃｍのシャーレに１５〜２０ｍｌを分注し、室温まで放冷することによりあらかじめ固形培地を作製しておいた。次に海水淡水化プラントＡの半透膜供給水を１００μＬ固形培地に植種し、コンラージ棒で均一に塗り広げ、室温（２５℃）で５日間培養し、コロニー数をカウントした。なお、コロニー数が多い場合は必要に応じてサンプルの希釈を行い、植種した。希釈液は４％の塩化ナトリウム水溶液をあらかじめ１２１℃で２０分オートクレーブ滅菌したものを用いた。
【００４２】
運転の結果、ＣＦＵは１．０×１０２個前後と非常に少ない値で推移したものの、４ヶ月後から運転差圧が上昇を始め、５ヵ月後には上限差圧を超えてしまった。洗浄剤（水酸化ナトリウム水溶液、ｐＨ＝１２）を半透膜表面に通水し、１時間循環洗浄→２時間浸漬→１時間循環洗浄の順で行ったものの、差圧は運転当初の差圧には戻らず、その後、膜交換を余儀なくされた。
【００４３】
（実施例１）
膜交換後、今度は運転差圧とともに半透膜供給水１８のウィルス濃度とＣＦＵを月１回測定することとした。ウィルス濃度は以下のようにして測定した。
【００４４】
［ウィルス濃度］
＜染色液の準備＞
ＳＹＢＲ  Ｇｏｌｄ原液を蒸留水で４００倍に希釈し、ＳＹＢＲ  Ｇｏｌｄ  Ｗｏｒｋｉｎｇ液とした。Ｗｏｒｋｉｎｇ液はプラスチック容器に１００μＬずつ分注し、アルミホイルで遮光して、−２０℃の冷凍庫で保存した。
【００４５】
＜測定試料のろ過＞
ガラス焼結メンブレンフィルタホルダ（直径２５ｍｍ）面を水平にし、支持フィルタ（ＭＦ−Ｍｉｌｌｉｐｏｒｅ、孔径０．４５μｍ、直径２５ｍｍ）を置き、その上にＷｈａｔｍａｎ  Ｍｅｍｂｒａｎｅ  Ｆｉｌｔｅｒ  Ａｎｏｄｉｓｃ２５（孔径０．０２μｍ、直径２５ｍｍ）を凹面を上に置き、ろ過筒を設置・固定した。次にフィルタ上に試料を１０００μＬのせ、０．０２ＭＰａで吸引ろ過し、フィルタ上の水分がなくなったら、フィルタを外し、フィルタ下面をＷｈａｔｍａｎ定性ろ紙  Ｎｏ．５０に接触させ、更に水分を除いた。
【００４６】
＜染色＞
遮光可能な容器の中にプラスチック製ペトリ皿を置き、ＳＹＢＲ  Ｇｏｌｄ  Ｗｏｒｋｉｎｇ液を一滴（約４０μＬ）滴下し、フィルタ裏側の一端からＳＹＢＲ  Ｇｏｌｄ  Ｗｏｒｋｉｎｇ液に接触させ、裏側に気泡が無く均一に行き渡るようにした。容器に蓋をして、１５分以上放置した。
【００４７】
＜蛍光顕微鏡による計測＞
染色終了後、フィルタをＷｈａｔｍａｎ定性ろ紙  Ｎｏ．５０上に置き、余分な水分を裏面から吸収させた。次にスライドガラスの中心に油浸オイルを約３０μＬ滴下し、フィルタを裏面から油浸オイルに接触させ、スライドガラス上で完全に気泡がない状態にした。そしてフィルタ上にさらに油浸オイルを滴下し、カバーガラスを載せた。これを落射蛍光顕微鏡のＢ励起（青色光）で接眼レンズ（１５倍）、対物レンズ（１００倍）で観察し、視野を動かして少なくとも４００個体以上のウィルスを計測した。フィルタの濾過面積と顕微鏡の視野面積との関係式から、試料中のウィルス濃度を算出した。
【００４８】
ウィルス濃度のＣＦＵに対する割合の経時変化を図３に示す。ウィルス濃度のＣＦＵに対する割合は運転初期は１未満で推移していたが、３ヶ月後から上昇し始め、８〜１６の間で推移するようになった。そこで、６ヶ月後から殺菌剤２２の添加を開始した。殺菌剤としては硫酸を用い、３日に１回、１時間、ｐＨ＝３となるように添加を行った。一方、８ヶ月後からウィルス濃度のＣＦＵに対する割合は減少し、また１未満となった。これに伴い、９ヶ月後から殺菌剤の添加をストップした。このような運転を行うことにより、運転差圧は上昇することなく、１２ヶ月後まで安定的に運転することができた。
【００４９】
（実施例２）
別の海水淡水化プラントＢにおいて、処理方法は海水淡水化プラントＡと同じ処理方法で海水の処理を行った。ただし、海水は海水淡水化プラントＡで処理した海水と異なる海水を処理した。半透膜供給水のウィルス濃度のＣＦＵに対する割合の測定を月１回程度続け、別のプラントで取得していた表１の関係から運転継続可能期間を推定し、その期間が来る前に膜洗浄を行った。洗浄は洗浄剤（水酸化ナトリウム水溶液、ｐＨ＝１２）を半透膜表面に通水し、１時間循環洗浄→２時間浸漬→１時間循環洗浄の順で行った。その結果、運転差圧は上昇することなく、１年間安定的に運転することができた。
【産業上の利用可能性】
【００５０】
本発明は、膜を用いて海水やかん水などの脱塩を行うことにより淡水を得たり、下廃水処理水や工業排水等を浄化して再利用水を得たりする際に、好適に用いることができる。
【符号の説明】
【００５１】
１  被処理水
２  高圧ポンプ
３  半透膜
４  透過水
５  濃縮水
６  殺菌剤
７  洗浄剤
８  海水
９  海水貯槽
１０  供給ポンプ
１１  砂ろ過槽
１２  半透膜供給水貯槽
１３  送水ポンプ
１４  高圧ポンプ
１５  半透膜
１６  透過水
１７  濃縮水
１８  半透膜供給水
１９  洗浄剤
２０  次亜塩素酸ナトリウム
２１  重亜硫酸ソーダ
２２  殺菌剤
【図１】
2014171988.tif 000004
【図２】
2014171988.tif 000005
【図３】
2014171988.tif 000006